【手続補正書】
【提出日】平成23年2月28日(2011.2.28)
【手続補正１】
【補正対象書類名】特許請求の範囲
【補正対象項目名】全文
【補正方法】変更
【補正の内容】
【特許請求の範囲】
【請求項１】
シート状物を一枚ずつ又は複数枚重ねにして搬送する折胴と、
シート状物を保持する第１の保持手段を円周方向に複数箇所備え、前記シート状物を複数枚重ねにして搬送する場合、前記第１の保持手段の一つおきにシート状物を保持して搬送する第１の搬送胴と、
前記第１の搬送胴と対向し、シート状物を保持する第２の保持手段を円周方向に複数箇所備え、回転自在に支持された第２の搬送胴と、
前記第１の搬送胴と対向し、シート状物を保持する第３の保持手段を円周方向に複数箇所備え、回転自在に支持された第３の搬送胴と、
複数枚重ねにされたシート状物を前記第１の搬送胴から前記第２の搬送胴と前記第３の搬送胴とに振り分けて搬送するように搬送経路を切り替える切替手段と、
を備えたことを特徴とするシート状物の搬送装置。
【請求項２】
前記第１の搬送胴は、前記シート状物を一枚ずつ搬送する場合、前記第１の保持手段のすべてにシート状物を保持して搬送するとともに、前記切替手段は、一枚ずつ搬送されたシート状物の場合、前記第１の保持手段のすべてに保持されたシート状物を一つおきに交互に前記第２の保持手段と前記第３の保持手段へ搬送することができるように搬送経路を切り替えることを特徴とする請求項１に記載のシート状物の搬送装置。
【請求項３】
前記切替手段は、複数枚重ねにして搬送されたシート状物の場合、前記第１の保持手段の一つおきに保持されたシート状物のすべてを前記第２の保持手段へ搬送することができるように搬送経路を切り替えることを特徴とする請求項２に記載のシート状物の搬送装置。
【請求項４】
前記切替手段は、
複数枚重ねにされたシート状物を前記第１の搬送胴から前記第２の搬送胴及び前記第３の搬送胴のどちらか一方に搬送するように搬送経路を切り替える
ことを特徴とする請求項１に記載のシート状物の搬送装置。
【請求項５】
前記切替手段は、
一枚ずつ搬送されたシート状物を前記第１の搬送胴から前記第２の搬送胴と前記第３の搬送胴とに振り分けて搬送するように搬送経路を切り替える
ことを特徴とする請求項１に記載のシート状物の搬送装置。
【請求項６】
前記切替手段は、
一枚ずつ搬送されたシート状物を前記第１の搬送胴から前記第２の搬送胴及び前記第３の搬送胴のどちらか一方に搬送するように搬送経路を切り替える
ことを特徴とする請求項１に記載のシート状物の搬送装置。
【請求項７】
前記第１の搬送胴は前記第１の保持手段を６箇所に有した６倍胴からなり、前記第２の搬送胴は前記第２の保持手段を２箇所に有した４倍胴からなり、前記第３の搬送胴は前記第１の搬送胴と前記第２の搬送胴とが対向する対向位置よりも前記第１の搬送胴の回転方向下流側に設けられて前記第３の保持手段を２箇所に有した４倍胴からなることを特徴とする請求項１に記載のシート状物の搬送装置。
【請求項８】
前記第１の搬送胴は、一枚ずつ搬送されたシート状物を前記第１の保持手段の一つおきに配置された一方の第１の保持手段を動作させて前記第２の搬送胴に搬送する第１の固定カムと、複数枚重ねにされたシート状物を前記一方の第１の保持手段との間に配置された他方の第１の保持手段の一つおきに動作させて前記第２の搬送胴に搬送する当該第１の搬送胴の１．５倍の速度で回転する回転カムと、一枚ずつ又は複数枚重ねにされたシート状物を前記他方の第１の保持手段を動作させて第３の搬送胴に搬送する第２の固定カムと、前記第２の保持手段を前記一方の第１の保持手段と対向する位置と前記他方の第１の保持手段と対向する位置との間で切り替える位相切替機構とを有することを特徴とする請求項１に記載のシート状物の搬送装置。
【請求項９】
前記第２の搬送胴は、前記第１の固定カムに動作される前記一方の第１の保持手段からの搬送されたシート状物を搬送するように前記第２の保持手段を動作させると共に、前記回転カムに動作される前記他方の第１の保持手段からの複数枚重ねにされたシート状物を搬送するように前記第２の保持手段を動作させる第３の固定カムと、前記回転カムに動作されない前記他方の第１の保持手段に保持された複数枚重ねのシート状物に対して前記第２の保持手段による受け取り動作をさせない可動カムと、を備え、前記第３の搬送胴は、前記第２の固定カムで動作される前記他方の第１の保持手段からの一枚ずつ又は複数枚重ねにされたシート状物を搬送する前記第３の保持手段を動作させる第４の固定カムを備えたことを特徴とする請求項６に記載のシート状物の搬送装置。
【請求項１０】
前記第１の搬送胴は前記第１の保持手段を４箇所に有した４倍胴からなり、前記第２の搬送胴は前記第２の保持手段を４箇所に有した４倍胴からなり、前記第３の搬送胴は前記第１の搬送胴と前記第２の搬送胴とが対向する対向位置よりも前記第１の搬送胴の回転方向下流側に設けられて前記第３の保持手段を２箇所に有した４倍胴からなることを特徴とする請求項１に記載のシート状物の搬送装置。
【請求項１１】
前記第１の搬送胴は、一枚ずつ又は複数枚重ねにされたシート状物を前記第１の保持手段の一つおきに配置された他方の第１の保持手段を動作させて前記第２の搬送胴に搬送する第１の固定カムと、複数枚重ねにされたシート状物を前記他方の第１の保持手段の一つおきに動作させて前記第３の搬送胴に搬送する移動可能な第２の回動カムと、一枚ずつ搬送されたシート状物を前記他方の第１の保持手段との間に配置された一方の第１の保持手段を動作させて前記第２の搬送胴に搬送する又は前記第３の搬送胴に搬送する移動可能な第１の回動カム及び第２の固定カムと、前記第３の保持手段を前記一方の第１の保持手段と対向する位置と前記他方の第１の保持手段と対向する位置との間で切り替える位相切替機構とを有することを特徴とする請求項１に記載のシート状物の搬送装置。
【請求項１２】
前記第２の搬送胴は、前記第１の固定カムに動作される前記他方の第１の保持手段からの一枚ずつ又は複数枚重ねにされたシート状物を搬送するように前記第２の保持手段を動作させると共に、前記第１の回動カムに動作される前記一方の第１の保持手段からの一枚ずつ搬送されたシート状物を搬送するように前記第２の保持手段を動作させ、前記第３の搬送胴は、前記第
２の回動カムに一つおきに動作される前記他方の第１の保持手段からの複数枚重ねにされたシート状物を搬送するように前記第３の保持手段を動作させると共に、前記第１の回動カムに動作される前記一方の第１の保持手段からの一枚ずつ搬送されたシート状物を搬送するように前記第３の保持手段を動作させることを特徴とする請求項９に記載のシート状物の搬送装置。
【請求項１３】
前記第１の搬送胴の前記第１の保持手段は、一枚ずつ搬送されたシート状物を保持する少なくとも２つ以上の一方の第１の保持手段と、前記一方の第１の保持手段との間に設けられて一枚ずつ搬送されたシート状物と複数枚重ねで搬送されたシート状物を保持する少なくとも２つ以上の他方の第１の保持手段とからなり、
前記切替手段は、
複数枚重ねで搬送されたシート状物を保持する前記他方の第１の保持手段から前記第２の搬送胴の前記第２の保持手段への受け渡し動作を回動することによって前記他方の第１の保持手段の一つおきに動作させる回動カムと、前記回動カムによって動作しなかった前記他方の第１の保持手段から前記第２の搬送胴の前記第２の保持手段を通過させて前記第３の搬送胴の前記第３の保持手段への受け渡し動作を行う固定カムとからなることを特徴とする請求項１に記載のシート状物の搬送装置。
【請求項１４】
前記第１の搬送胴の前記第１の保持手段は、一枚ずつ搬送されたシート状物を保持する少なくとも２つ以上の一方の第１の保持手段と、前記一方の第１の保持手段との間に設けられて一枚ずつ搬送されたシート状物と複数枚重ねで搬送されたシート状物を保持する少なくとも２つ以上の他方の第１の保持手段とからなり、
前記切替手段は、
複数枚重ねで搬送されたシート状物を保持する前記他方の第１の保持手段から前記第２の搬送胴の前記第２の保持手段への受け渡し動作を行う固定カムと、前記固定カムによって前記他方の第１の保持手段から前記第２の搬送胴の前記第２の保持手段への受け渡し動作される複数枚重ねで搬送されるシート状物の一つおきに動作させて前記他方の第１の保持手段から前記第２の搬送胴の前記第２の保持手段を通過させて前記第３の搬送胴の前記第３の保持手段へ受け渡し動作を行う回動カムとからなることを特徴とする請求項１に記載のシート状物の搬送装置。
【手続補正２】
【補正対象書類名】明細書
【補正対象項目名】０００８
【補正方法】変更
【補正の内容】
【０００８】
上記の課題を解決するための本発明に係るシート状物の搬送装置は、
シート状物を一枚ずつ又は複数枚重ねにして搬送する折胴と、
シート状物を保持する第１の保持手段を円周方向に複数箇所備え、前記シート状物を複数枚重ねにして搬送する場合、前記第１の保持手段の一つおきにシート状物を保持して搬送する第１の搬送胴と、
前記第１の搬送胴と対向し、シート状物を保持する第２の保持手段を円周方向に複数箇所備え、回転自在に支持された第２の搬送胴と、
前記第１の搬送胴と対向し、シート状物を保持する第３の保持手段を円周方向に複数箇所備え、回転自在に支持された第３の搬送胴と、
複数枚重ねにされたシート状物を前記第１の搬送胴から前記第２の搬送胴と前記第３の搬送胴とに振り分けて搬送するように搬送経路を切り替える切替手段と、
を備えたことを特徴とする。
また、
前記第１の搬送胴は、前記シート状物を一枚ずつ搬送する場合、前記第１の保持手段のすべてにシート状物を保持して搬送するとともに、前記切替手段は、一枚ずつ搬送されたシート状物の場合、前記第１の保持手段のすべてに保持されたシート状物を一つおきに交互に前記第２の保持手段と前記第３の保持手段へ搬送することができるように搬送経路を切り替えることを特徴とする。
また、
前記切替手段は、複数枚重ねにして搬送されたシート状物の場合、前記第１の保持手段の一つおきに保持されたシート状物のすべてを前記第２の保持手段へ搬送することができるように搬送経路を切り替えることを特徴とする。
【手続補正３】
【補正対象書類名】明細書
【補正対象項目名】０１５０
【補正方法】変更
【補正の内容】
【０１５０】
１０  断裁待機胴
１１  折胴
１２  くわえ胴（第１の搬送胴）
１３  減速胴（第１の搬送胴）
１４  上渡胴（第３の搬送胴又は第２の搬送胴）
１５  下渡胴（第２の搬送胴又は第３の搬送胴）
２３  針カム
３０Ａ  クラッチ
３０Ｂ  クラッチ
３４  エアーシリンダ
４５  差込ナイフカム
５０  針メインカム
５２  針サブカム
５３  エアーシリンダ
５９  くわえメインカム
６１  くわえサブカム
６２  エアーシリンダ
６７  爪メインカム（切替手段）
６８  爪回転カム（切替手段）
６９  爪カム（切替手段）
７５  エアーシリンダ（切替手段）
８３  爪メインカム（切替手段）
９４  爪メインカム（切替手段）
９６  爪サブカム（切替手段）
９７  エアーシリンダ（切替手段）
１０２  ハーモニックドライブ装置
１２０  カム機構
１２３  第１メインカム
１２５  第１サブカム
１２８  第２メインカム
１３２  第２サブカム